(57)【特許請求の範囲】
【請求項１】
巾木本体の端部に足場のパイプへの係止部材として板状体のフックを突設した足場板用巾木において、巾木本体の一方の端部に設ける垂直フックは、巾木本体側に対して巾木長さ方向に突出スライド可能に重畳するスライド板体の下部にこれを形成し、巾木本体側にはこのスライド板体のスライドを行い、かつ、位置規制を行うカムロックとしての長方形カムを設け、さらに、スライド板体の上部には足場の縦パイプに添わせる係合片を形成したことを特徴とする足場板用巾木。
【請求項２】
長方形カムには、回動用摘みとしての摘み片を長手方向の一辺に折り曲げ形成した請求項１記載の足場板用巾木。
【請求項３】
他方の巾木本体の端部に設けるフックは、巾木本体の端部外面側で巾木本体の長さ方向に、足場のパイプへの固定部材として下向きの垂直フックと、水平フックとを突設し、水平フックはスライド杆により横スライド可能とした請求項１または請求項２に記載の足場板用巾木。
【発明の詳細な説明】
【技術分野】
【０００１】
本発明は、建設作業現場等に設置される枠組足場の足場板に取付ける巾木に関するものである。
【背景技術】
【０００２】
建設作業現場等に設置される枠組足場の足場板上での高所作業では、作業者が足元に置いたボルト、金具類等の部品や工具類などを誤って落下させることがある。
【０００３】
建設業等において、高所からの墜落・転落による労働災害が多発していることから、今回、足場等からの墜落防止等の対策の強化を図るため、足場、架設通路及び作業構台からの墜落防止措置等に関し、労働安全衛生規則の一部が改正され、平成２１年６月１日から施行されている。
【０００４】
その内容は、足場からの墜落防止措置等の充実であり、足場の種類に応じて次の墜落防止措置が必要になる。枠組足場においても、交さ筋かい下部のすき間からの墜落を防止するため、交さ筋かいに加え、「下さん」や「幅木」等の設置、又は、「手すりわく」の設置が義務付けられる。
【０００５】
枠組足場においても、従来から足場板の側縁に巾木を取付けることは行われているが、取付方法としては定まったものがなく、例えば帯状の板材を足場板の側縁に堰板状に立てて枠組足場の支柱に針金や番線で縛り付けている。金属製の巾木では端部にクランプを設けて、枠組み足場のパイプに止めるようにしたものもある。
【０００６】
しかしこのような方法では、巾木の取り付けと取り外しに時間と労力を要して施工性がよくなかった。
【０００７】
そこで、かかる不都合を解消し、足場板にワンタッチ的に取付けられる巾木として、係止にフックを用いるものが例えば下記特許文献などにある。
【特許文献１】特開２００３−２１３９２７号公報
【０００８】
この特許文献１の巾木は、足場布材の長さに相当する長さを有すると共に、所定高さを有するよう構成され、前後端に取付けられた係脱金物は、所定幅の板を素材として正面方形の接続面と、接続面の右方辺より前方に向け折曲げた側面方形の連結面と、接続面の左方辺より前方に向け平面略半円状に折曲げたフックとからなる。
【０００９】
前記特許文献１の従来技術は、巾木をワンタッチ的に取付けられるものではあるが、巾木を１個のフックで足場枠に係止するものであり、何らかの外力によって押されると作業中であっても簡単に外れるおそれがある。
【００１０】
出願人は先に、簡単な構造で足場板に巾木を確実に固定でき、固定後は外力が加わっても外れるおそれがなく、取り付けもワンタッチ的に行えて簡単であり、既製の足場板にも容易に実施できる足場板用巾木を提案し、出願した。（特願２００９−０９７１１７号）
【００１１】
これは、図９に示すように、巾木１は、枠組足場の足場板３に取付けるものであり、基本構造としては、図８に示すように、帯状の板体で構成する巾木本体２の両端部に、該巾木本体２の長さ方向で、枠組足場の横パイプ４と縦パイプ５とにそれぞれ掛止する垂直フック６と水平フック７とを突出させて取付けた。
【００１２】
巾木本体２は、アルミニウム合金板や鋼板などによる帯状金属板材の上端を外側に下向きのＬ字形に折り曲げ加工し、下端の僅か上部を内側に水平に折り曲げて水平突片２ａとして足場板３への載置部とした。
【００１３】
垂直フック６は、板状体６ａの先端を下向きのＵ字形の切欠きに形成し、この切欠き部を枠組足場の横パイプ４に上方から掛止する掛止部６ｂに形成した。
【００１４】
水平フック７は、垂直フック６の上方位置で巾木本体２に取付けられるもので、図１０に示すように、板状体の先端に横向きのＵ字形の切欠きを設けて縦パイプ５への掛止部７ａとし、この掛止部７ａが形成された板状体を溶接などによりスライド杆８に固定する。
【００１５】
水平フック７の巾木本体２への取り付けは、コイルバネ１２を支持部材１０の範囲内でスライド杆８に巻回し、スライド杆８の後端にストッパー８ｂとしてのリングを取付けた。
【００１６】
これにより、図１０（ｂ）に示すようにスライド杆８および水平フック７はコイルバネ１２の伸張力で突出方向に付勢され、水平フック７が巾木本体２から突出して掛止部７ａが縦パイプ５に押圧されて掛止される。
【００１７】
この状態で、水平フック７には前記のようにコイルバネ１２によって縦パイプ５の方向への押圧力が加わっているから、水平フック７が縦パイプ５から外れることはない。
【００１８】
なお、水平フック７を縦パイプ５に掛止していない状態でも、水平フック７には巾木本体２から突出する方向への力がコイルバネ１２によって付勢されているが、スライド杆８の後端にストッパー８ｂが設けてあり、これが支持部材１０の外側に当接するから、スライド杆８が支持部材１０から抜け出ることはない。
【００１９】
水平フック７を巾木本体２内に没入させるには、コイルバネ１２の弾力に抗して押し込めばよい。
【００２０】
かかる巾木１を足場板に取付けるには、巾木１を足場板３の側縁に配置し、枠組足場を構成する横パイプ４に垂直フック６の掛止部６ｂを上方から引っ掛ける。
【００２１】
以上のようにして垂直フック６を横パイプ４に取付けたならば、次に水平フック７を巾木本体２から引き出して掛止部７ａを縦パイプ５に差し込んで掛止する。この状態で、スライド杆８および水平フック７はコイルバネ１２の伸張力で突出方向に付勢され、水平フック７が巾木本体２から突出して掛止部７ａが縦パイプ５に押圧されて掛止される。
【００２２】
このようにして垂直フック６と水平フック７とが枠組足場の横パイプ４と縦パイプ５に固定されることで、巾木１が足場板の側縁に配設される。
【発明の開示】
【発明が解決しようとする課題】
【００２３】
前記従来技術は、巾木をワンタッチ的に取付けられるものではあるが、巾木の長さも所定のものに固定されているため、異なる長さの足場枠に対しては、その都度、これに対応する長さの巾木を用意する必要があり、汎用性に乏しい。
【００２４】
例えば、枠組足場が国産のものと、欧米系の国からの輸入のものとでは、枠組足場を組み立てた際の枠組縦材の芯―芯が、メートル・インチの違いがあり、1800サイズの場合は、メートル：1800ｍｍ、インチ：1829ｍｍとなる。
【００２５】
本発明の目的は前記従来例の不都合を解消するものとして、第１に、簡単な構造で異なる長さの足場枠に対応できるもので、かつ、巾木を容易かつ確実に固定でき、既製の足場板にも容易に実施できる足場板用巾木を提供するものである。
【課題を解決するための手段】
【００２６】
前記目的を達成するため、請求項１記載の本発明は、巾木本体の端部に足場のパイプへの係止部材として板状体のフックを突設した足場板用巾木において、巾木本体の一方の端部に設ける垂直フックは、巾木本体側に対して巾木長さ方向に突出スライド可能に重畳するスライド板体の下部にこれを形成し、巾木本体側にはこのスライド板体のスライドを行い、かつ、位置規制を行うカムロックとしての長方形カムを設けたことを要旨とするものである。
【００２７】
請求項１記載の本発明によれば、足場の横パイプへの係止部材としての垂直フックは、巾木本体側に対して巾木長さ方向に突出スライド可能に重畳するスライド板体の下部にこれを形成することで、スライド板体とともに移動可能となり、長さの足場枠に対応できるものである。
【００２８】
また、長方形カムを回転させることで、長方形カムがスライド板体に係合してこのスライド板体のスライドを行い、かつ、位置規制を行うことができ、長方形カムの長辺と短辺のうち、長辺をインチ対応、短辺をメートル対応とすれば、簡単に巾木長さの設定ができる。
【００２９】
さらに、足場の横パイプへの係止部材としての垂直フックの移動とともに、足場の縦パイプへの係合もこのスライド板体に設けた係合片で行うことができ、しかも、水平と垂直方向の２方向で固定され、足場枠への安定した係止が可能となる。
【００３０】
請求項２記載の本発明は、長方形カムには、回動用摘みとしての摘み片を長手方向の一辺に折り曲げ形成したことを要旨とするものである。
【００３１】
請求項２記載の本発明によれば、長方形カムはこれを回動することでスライド板体を押しだすものであるが、回動用摘みを設けることで容易に回転させることができる。また、この回動用摘みは、長方形カムの長手方向の一辺に折り曲げ形成したものであるので、部材点数が少なく設けることができ、しかも、長方形カムを回転させるに適する最大限の長さのものとなる。
【００３２】
請求項３記載の本発明は、他方の巾木本体の端部に設けるフックは、巾木本体の端部外面側で巾木本体の長さ方向に、足場のパイプへの固定部材として下向きの垂直フックと、水平フックとを突設し、水平フックはスライド杆により横スライド可能としたことを要旨とするものである。
【００３３】
請求項３記載の本発明によれば、巾木本体は垂直フックと水平フックとで足場を形成する横パイプと縦パイプとにそれぞれ係止されて固定される。よって、巾木本体は足場板に直接固定されるのではなく、しかも、水平と垂直方向の２方向で固定され、さらに、フックによる係止であるから、外力により外れにくく固定が確実になされる。また、取り付けもフックを掛けるだけでよいからワンタッチ的に行えて容易である。
【００３４】
さらに、垂直フックと水平フックを設けるに、水平フックがスライド杆により横スライド可能とすることは重要である。両者が固定では位置合わせが難しく足場を形成する横パイプと縦パイプとに同時に掛けることは困難であるが、水平フックが横スライド可能とすることで、これが容易になる。なお、垂直フックを先に掛け、巾木本体を寝かした状態から立てるようにすれば、水平フックを容易に縦パイプに掛けることが可能となる。
【００３５】
隣接する巾木本体との関係において、水平フックはこれが係合する足場の縦パイプを同一として隣の巾木本体のスライド板体に設けた係合片の上に位置し、該係合片を上から押えるので、本発明のスライド板体部分も足場枠のパイプに水平と垂直方向の２方向での固定がより確実なものとなる。
【発明の効果】
【００３６】
以上述べたように本発明の足場板用巾木は、異なる長さの足場枠に対応できるものであり、また、足場板への取り付けは、足場のパイプに掛止するから確実に固定でき、取付もワンタッチ的に行えて簡単なものである。
【発明を実施するための最良の形態】
【００３７】
以下、図面について本発明の実施形態を詳細に説明する。図１は本発明の足場板用巾木の１実施形態を示す要部の正面図、図２は同上平面図で、本発明の巾木１は、枠組足場の足場板３に取付けるものであり、基本構造としては、前記図８に示す従来例と同じであり、帯状の板体で構成する巾木本体２の両端部に、該巾木本体２の端部に枠組足場のパイプ掛止する板状体のフックを取付けている。
【００３８】
巾木本体２は、後述の図４に示すようにアルミニウム合金や鋼板などによる帯状金属板材の上端を外側に下向きのＬ字形に折り曲げ加工し、下端の僅か上部を内側に水平に折り曲げて水平突片２ａとして足場板への載置部とした。
【００３９】
本発明は、アルミニウム合金の押し出し形材を用いた巾木本体２の一端には、スライド受板１６を固定して取り付け、このスライド受板１６を介してスライド板体１７を巾木本体２側に対して巾木長さ方向に突出スライド可能に重畳させる。
【００４０】
図３はこれらスライド受板１６とスライド板体１７を構成するアルミニウム合金の押し出し形材を示し、図４は巾木本体２にこれらを重畳させた図である。
【００４１】
スライド受板１６は巾木本体２にリベット１８により固定される。
【００４２】
スライド受板１６は表面にガイド突起１９を設け、一方、スライド板体１７はこのガイド突起１９、１９′を受け入れる横長穴２０を数か所形成した。このようにして、スライド板体１７はガイド突起１９が横長穴２０を移動することによりスライドする。また、ガイド突起１９′はスライド受板１６がスライド板体１７を離脱しないように保持する止め具を兼ねる。
【００４３】
図３、図４に示すように、スライド受板１６とスライド板体１７を構成するアルミニウム合金の押し出し形材には、係合突条２１とこれを受ける係合溝条２２をそれぞれ形成しておくこともできる。
【００４４】
前記スライド板体１７の下部に足場枠の横パイプ４に掛止めする垂直フック２３を形成し、また、上部には足場枠の縦パイプ５に添わせる係合片２４を形成した。この係合片２４は厚みを持たせるため、二股片で構成し、また、スライド板体１７にはこの係合片２４を設ける上部と、前記垂直フック２３を設ける下部とを分離すべく、横に開口する切欠き２５を形成している。
【００４５】
スライド板体１７の前記切欠き２５が開口する辺と反対側の縁辺は、垂直辺１７ａであり、ここに当接するようにスライド板体１７のスライドを行い、かつ、位置規制を行うカムロックとしての長方形カム２６を設けた。
【００４６】
長方形カム２６は、巾木本体２側に設けるものとして、長方形板の一角部に近い個所を軸支して偏心回転させるようにしたものであり、長手方向の一辺である長手辺αに回動用摘みとしての摘み片２７を長手方向の一辺に折り曲げ形成した。
【００４７】
長方形カム２６は、これを回動させることによりスライド板体１７を押し出すが、押し出す前に立った状態になり長手辺αが垂直辺１７ａに接し、回動後は横になり短手辺βが垂直辺１７ａに接する。
【００４８】
このようなスライド受板１６やスライド板体１７を設ける巾木本体２の端に対して、もう一方の端は前記図８〜図１０に示す従来と同じであり、巾木本体２の端部に、該巾木本体２の長さ方向で、枠組足場の横パイプ４と縦パイプ５とにそれぞれ掛止する垂直フック６と水平フック７とを突出させて取付けた。
【００４９】
垂直フック６は、板状体６ａの先端を下向きのＵ字形の切欠きに形成し、この切欠き部を枠組足場の横パイプ４に上方から掛止する掛止部６ｂに形成した。
【００５０】
水平フック７は、垂直フック６の上方位置で巾木本体２に取付けられるもので、図１０に示すように、板状体の先端に横向きのＵ字形の切欠きを設けて縦パイプ５への掛止部７ａとし、この係止部７ａが形成された板状体を溶接などによりスライド杆８に固定する。
【００５１】
スライド杆８の巾木本体２への取付手段は、巾木本体２の外側面に帯板状部材を折り曲げ加工した横長コ字形の支持部材１０を固定し、スライド杆８は支持部材１０でスライド自在に支承される。
【００５２】
コイルバネ１２を支持部材１０の範囲内でスライド杆８に巻回した。
【００５３】
これにより、図１０（ｂ）に示すようにスライド杆８および水平フック７はコイルバネ１２の伸張力で突出方向に付勢され、水平フック７が巾木本体２から突出して掛止部７ａが縦パイプ５に押圧されて掛止され、水平フック７には前記のようにコイルバネ１２によって縦パイプ５の方向への押圧力が加わっているから、水平フック７が縦パイプ５から外れることはない。
【００５４】
水平フック７を巾木本体２内に没入させるには、コイルバネ１２の弾力に抗して押し込めばよい。
【００５５】
次に使用法について説明する。まず、足場枠に対する巾木の長さの対応であるが、長方形カム２６によりこれを行う。長方形カム２６は、短手辺βがメートル対応、長手辺αがインチ対応の寸法となっており、長手辺αが垂直辺１７ａに接して立った状態になっている場合には、スライド板体１７は押し出される前であり、巾木全体の長さも短く、枠組縦材の芯―芯が、1800サイズの場合は1800ｍｍに対応する。
【００５６】
長方形カム２６は、摘み片２７をもってこれを回動させることによりその角がスライド板体１７の垂直辺１７ａに当たり、このスライド板体１７を押し出す。
【００５７】
そして、横向きになった時点では、短手辺βが垂直辺１７ａに接し、この状態でスライド板体１７を固定する。
【００５８】
この状態では、スライド板体１７は最大に押し出された状態であり、巾木全体の長さが長くなり、枠組縦材の芯―芯が、1800サイズの場合のインチ単位での寸法1829ｍｍに対応する。
【００５９】
メートルまたはインチ対応のいずれかを選択し、全体長さを決定する。
【００６０】
かかる巾木１を足場板に取付けるには、巾木１を足場板の側縁に配置し、水平突片２ａを足場板３の上に載せ、スライド受板１６やスライド板体１７を設ける側と反対の巾木本体２の端から取り付けを決めていく。
【００６１】
枠組足場を構成する横パイプ４に垂直フック６の掛止部６ｂを上方から引っ掛ける。この場合、連続する足場板相互の間では、対向する足場板から垂直フック６が向かい合わせで突出するが、垂直フック６は前記のように入れ違いに突出しているから、両垂直フック６の先端がぶつかることはなく、並行して同じ横パイプ４に引っ掛けられる。
【００６２】
この状態で、垂直フック６は掛止部６ｂが下向きに形成されているから、巾木本体２の荷重が加わることで、垂直フック６が横パイプ４から外れるおそれはない。
【００６３】
なお、このように水平フック７を巾木本体２から引き出して掛止部７ａを縦パイプ５に差し込んで掛止するのに、巾木本体２はすでに垂直フック６が横パイプ４に係止されているので安定して行うことができるが、特に巾木本体２を斜めに倒すことで水平フック７を縦パイプ５に邪魔にならずに移動でき、掛止部７ａと縦パイプ５が合った所で巾木本体２を垂直に立てれば、簡単かつ迅速に係止が可能となる。
【００６４】
次いで、巾木本体２の他の片側のスライド板体１７の下部に形成した垂直フック２３を足場枠の横パイプ４に掛止する。この状態ではスライド板体１７の上部に形成した係合片２４が足場枠の縦パイプ５の裏側に添う。
【００６５】
以上のようにして垂直フック６、垂直フック２３を横パイプ４に取付けたならば、次に水平フック７を巾木本体２から引き出して掛止部７ａを縦パイプ５に差し込んで掛止する。この状態で、スライド杆８に形成してある係止凹部８ａに板バネ１１の係止突起１１ａが弾力により嵌り込み、水平フック７はその位置で巾木本体２に固定され、縦パイプ５から外れるおそれはない。
【００６６】
また、スライド板体１７側では、図５に示すように隣接する巾木１との関係において、隣接する巾木１の前記水平フック７はこれが係合する足場の縦パイプ５を同一として隣の巾木１のスライド板体１７に設けた係合片２４の上に位置し、該係合片２４を上から押えるので、スライド板体１７の部分も足場枠のパイプに水平と垂直方向の２方向での固定がより確実なものとなる。
【図面の簡単な説明】
【００６７】
【図１】本発明の足場板用巾木の１実施形態を示す要部の正面図である。
【図２】本発明の足場板用巾木の１実施形態を示す要部の平面図である。
【図３】スライド受板とスライド板体の形材の端面図である。
【図４】スライド受板とスライド板体を巾木本体に重畳させた状態を示す端面図である。
【図５】隣接する巾木との係合関係を示す平面図である。
【図６】本発明の足場板用巾木の１実施形態を示す全体の正面図である。
【図７】本発明の足場板用巾木の１実施形態を示す全体の平面図である。
【図８】従来の足場板用巾木の正面図である。
【図９】従来の足場板用巾木の側面図である。
【図１０】足場板用巾木の水平フックの巾木本体に取付けた状態の横断平面図である。
【符号の説明】
【００６８】
１  巾木                          ２  巾木本体
２ａ  水平突片                    ３  足場板
４  横パイプ                      ５  縦パイプ
６  垂直フック                    ６ａ  板状体
６ｂ  掛止部                      ６ｃ  斜部
７  水平フック                    ７ａ  掛止部
８  スライド杆                    ８ａ  係止凹部
８ｂ  ストッパー                  ９  取付板
１０  支持部材                    １１  板バネ
１１ａ  係止突起                  １２  コイルバネ
１３  突起状段差                  １４  狭隘部
１６  スライド受板                １７  スライド板体
１７ａ  垂直辺                    １８  リベット
１９、１９′  ガイド突起          ２０  横長穴
２１  係合突条                    ２２  係合溝条
２３  垂直フック                  ２４  係合片
２５  切欠き                      ２６  長方形カム
２７  摘み片
【図１】
0005665469.tif 000002
【図２】
0005665469.tif 000003
【図３】
0005665469.tif 000004
【図４】
0005665469.tif 000005
【図５】
0005665469.tif 000006
【図６】
0005665469.tif 000007
【図７】
0005665469.tif 000008
【図８】
0005665469.tif 000009
【図９】
0005665469.tif 000010
【図１０】
0005665469.tif 000011